(57)【要約】      （修正有）【課題】スライドファスナーのスライダーを提供する。【解決手段】スライダーは、前方への移動により一対のエレメント列を噛合させると共に後方への移動により一対のエレメント列を左右に分離させる。スライダー胴体１は、胴体本体部２と引手取付部３を備える。引手４は、引手取付部に対して前後に回動可能に連結される第１の引手部材５と、第１の引手部材に対して前後に回動可能に連結される第２の引手部材６を備える。第２の引手部材と引手取付部は、第２の引手部材を第１の引手部材に対して折り畳んだ状態で引手取付部に仮止めする仮止め部７を備える。第２の引手部材は前記折り畳んだ状態で引手取付部の少なくとも一部を収容すると共に貫通穴としての収容孔部６１ｈを備える。折り畳んだ状態は、胴体本体部の上側において第１の引手部材が後方に倒伏すると共に、第２の引手部材が前方に倒伏する状態である。仮止め部は、互いに係り合って第２の引手部材を引手取付部に仮止めする突起７１と溝７２を備える。【選択図】図１
0003210483.tif 000002
【実用新案登録請求の範囲】
【請求項１】
前方への移動により一対のエレメント列（Ｆ３，Ｆ３）を噛合させると共に後方への移動により一対のエレメント列（Ｆ３，Ｆ３）を左右に分離させるスライダー胴体（１）と、前記スライダー胴体（１）に連結される引手（４）を備え、
前記スライダー胴体（１）は、一対の前記エレメント列（Ｆ３，Ｆ３）を通す胴体本体部（２）と、前記引手（４）を取り付けると共に前記胴体本体部（２）から突出する引手取付部（３）を備え、
前記引手（４）は、前記引手取付部（３）に対して前後に回動可能に連結される第１の引手部材（５）と、前記第１の引手部材（５）に対して前後に回動可能に連結される第２の引手部材（６）を備え、
前記第２の引手部材（６）と前記引手取付部（３）は、前記第２の引手部材（６）を前記第１の引手部材（５）に対して折り畳んだ状態で前記引手取付部（３）に仮止めする仮止め部（７）を備え、
前記第２の引手部材（６）は前記折り畳んだ状態で前記引手取付部（３）の少なくとも一部を収容すると共に貫通穴としての収容孔部（６１ｈ）を備え、
前記折り畳んだ状態は、前記胴体本体部（２）の上側において前記第１の引手部材（５）が後方に倒伏すると共に、前記第２の引手部材（６）が前方に倒伏する状態であり、
前記仮止め部（７）は、互いに係り合って前記第２の引手部材（６）を前記引手取付部（３）に仮止めする突起（７１）と溝（７２）を備え、
前記突起（７１）は、前記第２の引手部材（６）の一部であって、前記収容孔部（６１ｈ）から突出するものであり、
前記溝（７２）は、前記引手取付部（３）の一部であって、前記折り畳んだ状態のときに前記引手取付部（３）のうち前記収容孔部（６１ｈ）に対向する面に凹んで形成されるものであることを特徴とするスライドファスナーのスライダー。
【請求項２】
前記第２の引手部材（６）は弾性変形可能なものであることを特徴とする請求項１記載のスライドファスナーのスライダー。
【請求項３】
前記引手取付部（３）は左右の側面に前記溝（７２）をそれぞれ備え、
前記第２の引手部材（６）は前記収容孔部（６１ｈ）の内面のうち左右の側面に前記突起（７１）をそれぞれ備えることを特徴とする請求項１または２に記載のスライドファスナーのスライダー。
【請求項４】
前記第１の引手部材（５）は、前後に回動可能に且つ左右に揺動可能に前記引手取付部（３）に対して連結されるものであり、
前記突起（７１）と前記溝（７２）の係り合いは、接触による摩擦抵抗であることを特徴とする請求項１〜３の何れかに記載のスライドファスナーのスライダー。
【請求項５】
前記溝（７２）は上方に開口するものであることを特徴とする請求項４記載のスライドファスナーのスライダー。
【請求項６】
前記折り畳んだ状態は、前記胴体本体部（２）の上側において前記第１の引手部材（５）が後方に倒伏すると共に、前記第２の引手部材（６）が前方に倒伏する第１の状態と、前記胴体本体部（２）の下側において前記第１の引手部材（５）が後方に倒伏すると共に、前記第２の引手部材（６）が前方に倒伏する第２の状態を備えるものであり、
前記引手取付部（３）は、側面視して前記胴体本体部（２）を上下と前の三方からＵ字状に囲むと共に前記第１の引手部材（５）を上側と前側と下側の範囲を移動可能に連結するレール（３６）と、Ｕ字状の延長方向の両端において前記第１の引手部材（５）の移動範囲を規制するストッパ（３７）を備え、
前記レール（３６）は、前記胴体本体部（２）から離れるように延長する部分をレール本体部（３６ａ）とし、前記レール本体部（３６ａ）の先端部から左右方向の両側に突出する部分を一対のガイド部（３６ｂ，３６ｂ）とし、
前記第１の引手部材（５）は、前記レール（３６）に対してＵ字状の延長方向に沿って移動可能に連結されるものであり、
前記第２の引手部材（６）は、前記収容孔部（６１ｈ）に前記第１の引手部材（５）の少なくとも一部を収容するものであり、
前記溝（７２）は、前記レール（３６）の左右の側面において前記レール本体部（３６ａ）と前記ガイド部（３６ｂ）によってそれぞれ形成され、
前記突起（７１）と前記溝（７２）の係り合いは、仮止めするとき及び仮止めを解除するときに前記突起（７１）が弾性変形により前記ガイド部（３６ｂ）を乗り越えることを特徴とする請求項１〜３の何れかに記載のスライドファスナーのスライダー。
【請求項７】
前記仮止め部（７）は前記突起（７１）を複数備え、
複数の前記突起（７１，７１）は前後の位置を異ならせてあることを特徴とする請求項６に記載のスライドファスナーのスライダー。
【考案の詳細な説明】
【技術分野】
【０００１】
本考案は、スライドファスナーのスライダーに関するもので、スライダー胴体と引手を備えるスライダーに関する。
【背景技術】
【０００２】
スライダーはスライダー胴体に対して引手を回動可能に連結したものである。そしてスライダーには、回動可能に連結した２つの部材を引手として備え、そのうえでスライダーを操作しないときに、２つの部材が自由に回動しないように引手をスライダー胴体に対して仮止めする仮止め部を備えるものが存在する（特許文献１，２）。
【０００３】
たとえば特許文献１の図４に開示されたスライダーは、仮止め部として、一対のエレメント列の案内方向へ向かってスライダー胴体の前面から突出する突起と、突起が嵌合可能な貫通穴であって引手の先端部側に形成された貫通穴を備えるものである。より詳しくは以下の通りである。
引手の２つの部材は特許文献１において連接部材、引き摺りピースと称されるものである。連接部材はスライダー胴体に、引き摺りピースは連接部材にそれぞれ回動可能に連結されるものである。またスライダー胴体、仮止め部は特許文献１において本体、係合手段と称され、突起と貫通穴は特許文献１において係合体、係合ホールと称されるものである。そして係合体は一対のエレメント列を噛合させる方向へ本体の前面から突出するものであり、係合ホールは引き摺りピースの回動する端部側の貫通穴であって当該回動する端部から屈曲して突出する突出板を貫通する貫通穴である。
【０００４】
また特許文献２の図６に開示されたスライダーは、仮止め部として、引手の２つの部材のうち一方の部材から突出する突起と、回動によって仮止めするときと仮止めを解除するときに突起が弾性変形により乗り越え可能な乗越え片であって引手の他方の部材に形成された乗越え片とを備えると共に、引手の前記一方の部材の片面側に形成された凹みであって引手取付部を収容する凹みを備えるものである。より詳しくは以下の通りである。
引手の２つの部材は特許文献２において、引手片、カバー部材と称されるものである。引手片はスライダー胴体に、カバー部材は引手片にそれぞれ回動可能に連結されるものである。またスライダー胴体、仮止め部は特許文献２においてスライダー胴体、係脱手段と称され、突起と乗越え片は特許文献２において弾性舌片、連結杆と称されるものである。そして弾性舌片は、カバー部材のうち引手片に連結する中空の回動部から突出するものである。また弾性舌片が乗り越え可能な連結杆は、引手片のうち対向する一対のアーム部に架け渡すものである。また凹み、引手取付部は特許文献２において収容凹部、引手取付柱と称されるものである。
【先行技術文献】
【特許文献】
【０００５】
【特許文献１】登録実用新案第３０９７４７５号
【特許文献２】特許第４１４５２５２号
【考案の概要】
【考案が解決しようとする課題】
【０００６】
本考案のスライダーの目的は、上記した２つのスライダーとは異なる構造により、引手をスライダー胴体に対して仮止めすることである。
【課題を解決するための手段】
【０００７】
本考案のスライドファスナーのスライダーは、前方への移動により一対のエレメント列を噛合させると共に後方への移動により一対のエレメント列を左右に分離させるスライダー胴体と、スライダー胴体に連結される引手を備える。スライダー胴体は、一対のエレメント列を通す胴体本体部と、引手を取り付けると共に胴体本体部から突出する引手取付部を備える。引手は、引手取付部に対して前後に回動可能に連結される第１の引手部材と、第１の引手部材に対して前後に回動可能に連結される第２の引手部材を備える。第２の引手部材と引手取付部は、第２の引手部材を第１の引手部材に対して折り畳んだ状態で引手取付部に仮止めする仮止め部を備える。第２の引手部材は折り畳んだ状態で引手取付部の少なくとも一部を収容すると共に貫通穴としての収容孔部を備える。折り畳んだ状態は、胴体本体部の上側において第１の引手部材が後方に倒伏すると共に、第２の引手部材が前方に倒伏する状態である。仮止め部は、互いに係り合って第２の引手部材を引手取付部に仮止めする突起と溝を備える。突起は、第２の引手部材の一部であって、収容孔部から突出するものである。溝は、引手取付部の一部であって、折り畳んだ状態のときに引手取付部のうち収容孔部に対向する面に凹んで形成されるものである。
【０００８】
第２の引手部材は弾性変形可能か否かを問わないが、耐久性を向上するには次のものが望ましい。
すなわち第２の引手部材は弾性変形可能なものである。
【０００９】
突起は収容孔部であればどこから突出しても良く、また溝は、折り畳んだ状態のときに引手取付部のうち収容孔部に対向する面であればどこに凹んで形成してあっても良い。たとえば突起は収容孔部の左右の側面のうち一方からのみ突出し、溝も突起に対応させて引手取付部の左右の側面の前記一方のみに形成しても良いが、この場合、折り畳んだ状態の第２の引手部材は左右の前記一方のみが仮止めされたことになり、仮止め状態を安定させるには次のようにすることが望ましい。
すなわち引手取付部は左右の側面に溝をそれぞれ備え、第２の引手部材は収容孔部の内面のうち左右の側面に突起をそれぞれ備えることである。
【００１０】
スライダーのより具体的な構成の一例としては以下のものがある。
第１の引手部材は、前後に回動可能に且つ左右に揺動可能に引手取付部に対して連結されるものである。そして突起と溝の係り合いは、接触による摩擦抵抗である。
【００１１】
また上記した一例の場合のより具体的な構成としては以下のものがある。
すなわち溝は上方に開口するものである。
【００１２】
スライダーのより具体的な構成の他の例としては以下のものがある。
折り畳んだ状態は、胴体本体部の上側において第１の引手部材が後方に倒伏すると共に、第２の引手部材が前方に倒伏する第１の状態と、胴体本体部の下側において第１の引手部材が後方に倒伏すると共に、第２の引手部材が前方に倒伏する第２の状態を備えるものである。引手取付部は、側面視して胴体本体部を上下と前の三方からＵ字状に囲むと共に第１の引手部材を上側と前側と下側の範囲を移動可能に連結するレールと、Ｕ字状の延長方向の両端において第１の引手部材の移動範囲を規制するストッパを備える。レールは、胴体本体部から離れるように延長する部分をレール本体部とし、レール本体部の先端部から左右方向の両側に突出する部分を一対のガイド部とする。第１の引手部材は、レールに対してＵ字状の延長方向に沿って移動可能に連結されるものである。第２の引手部材は、収容孔部に第１の引手部材の少なくとも一部を収容するものである。溝は、レールの左右の側面においてレール本体部とガイド部によってそれぞれ形成される。突起と溝の係り合いは、仮止めするとき及び仮止めを解除するときに突起が弾性変形によりガイド部を乗り越えるものである。
【００１３】
また仮止め部は突起の個数を問わないが、上記した他の例の場合のときに折り畳んだ状態を維持し易くするには次のようにすることが望ましい。
すなわち仮止め部は突起を複数備え、複数の突起は前後の位置を異ならせることである。
【考案の効果】
【００１４】
本考案のスライダーによれば、第２の引手部材の収容孔部から突出する突起と、引手取付部のうち収容孔部に対向する面に凹んで形成される溝によって、第２の引手取付部材を第１の引手部材に対して折り畳んだ状態で引手取付部に仮止めすることができる。
【００１５】
また第２の引手部材が弾性変形可能なスライダーによれば、たとえば第２の引手部材が弾性変形不能なものに比べれば、耐久性を向上させることができる。
【００１６】
また引手取付部の左右の側面に溝をそれぞれ備え、第２の引手部材における収容孔部の内面のうち左右の側面に突起をそれぞれ備えるスライダーによれば、折り畳んだ状態の第２の引手部材は左右の両方が仮止めされたことになり、仮止め状態を安定させることができる。
【００１７】
また胴体本体部の上面に一対のファスナーテープを通すテープ溝を備えるスライダーによれば、突起と溝が接触することによって、第２の引手取付部材を第１の引手部材に対して折り畳んだ状態で引手取付部に仮止めすることができる。
【００１８】
また折り畳んだ状態が２通りあるスライダーのうち、複数の突起が前後の位置を異ならせてあるものであれば、第１の引手部材が回動することを一つの突起が阻止し、第２の引手部材が回動することを別の突起が阻止するようになり、突起が一つしかないスライダーに比べれば、折り畳んだ状態を維持し易くなる。しかも前後の位置を異ならせた突起が収容孔部の左右側面にあれば、折り畳んだ状態をより維持し易くなる。
【図面の簡単な説明】
【００１９】
【図１】本考案の第１実施形態のスライダーを示す斜視図である。
【図２】第１実施形態のスライダーを示す平面図であり、引手がスライダー胴体の上面の後部に載ると共に引手の一部がスライダー胴体よりも後方に延長している状態を示す。
【図３】図２の右側面図である。
【図４】図２のIV-IV線断面図である。
【図５】第１実施形態のスライダーの仮止め状態を示す平面図である。
【図６】図５の右側面図である
【図７】図５のVII-VII線断面図である。
【図８】第１実施形態のスライダーの使用状態を示す平面図である。
【図９】本発明の第２実施形態のスライダーを示す斜視図である。
【図１０】第２実施形態のスライダーの平面図である。
【図１１】図１０の右側面図である。
【図１２】第２実施形態のスライダーの仮止め状態を示す平面図である。
【図１３】図１２の右側面図である。
【図１４】図１２の底面図である。
【図１５】図１２のXV−XV線断面図である。
【図１６】図１２のXVI−XVI線断面図である。
【考案を実施するための形態】
【００２０】
スライドファスナーＦは図８に示すように、一対のファスナーストリンガーＦ１，Ｆ１と、一対のファスナーストリンガーＦ１，Ｆ１を開閉するスライダーＳを備えるものである。
【００２１】
一対のファスナーストリンガーＦ１，Ｆ１は、帯状であって且つ帯幅方向に対向する一対のファスナーテープＦ２，Ｆ２と、一対のファスナーテープＦ２，Ｆ２の対向する側縁部に別々に固定された一対のエレメント列Ｆ３，Ｆ３とを備えるものである。ちなみにエレメント列Ｆ３は、図示しないが、多数のエレメントがファスナーテープに対してその延長方向に間隔をあけて固定されたものや、図示の例のようにモノフィラメントをコイル状に曲げ、そのコイルの一巻分のエレメントが多数連続するもの等がある。
ちなみに図８に示すスライドファスナーＦは、俗に隠しスライドファスナーと称されるスライドファスナーであり、一対のファスナーテープＦ２，Ｆ２の対向する側縁部を折り返して、その折返し部分に一対のエレメント列Ｆ３，Ｆ３を固定したものである。
【００２２】
以下では、互いに直交する三本の直線方向を用いて、方向を定める。
第１の直線方向は、一対のファスナーストリンガーＦ１を対向させる方向、言い換えれば一対のエレメント列Ｆ３，Ｆ３が対向する方向であり、左右方向と言う。ちなみにファスナーストリンガーＦ１（ファスナーテープＦ２）は帯状であり、その帯幅方向が左右方向である。左右方向とは、図８の左右方向である。
第２の直線方向は、一対のファスナーストリンガーＦ１の長手方向、言い換えれば帯状であるファスナーストリンガーＦ１の延長する方向であり、長手方向または、前後方向と言う。前方向とは、一対のファスナーストリンガーＦ１を閉じるときに（一対のエレメント列Ｆ３，Ｆ３を噛合させるときに）スライダーＳを移動させる方向である。後方向とは一対のファスナーストリンガーＦ１を開くときに（一対のエレメント列Ｆ３，Ｆ３を分離させるときに）スライダーＳを移動させる方向である。前方向とは、図８の上方向であり、後方向とは図８の下方向である。
第３の直線方向は、ファスナーストリンガーＦ１の厚み方向、言い換えればファスナーテープＦ２や、エレメント列Ｆ３の厚み方向であり、上下方向と言う。上方向とは、図８の紙面に対して直交する方向のうち手前を向く方向である。下方向とは、図８の紙面に対して直交する方向のうち奥を向く方向である。
【００２３】
本考案の第１実施形態のスライダーＳは前述した隠しスライドファスナーと称されるスライドファスナーに用いるスライダーである。第１実施形態のスライダーＳは図８に示すように、一対のファスナーストリンガーＦ１を開閉可能なスライダー胴体１と、スライダー胴体１に対して前後に回動可能に且つ左右に揺動可能に連結された引手４を備えるものである。
ちなみに引手４に関して、回動とは、スライダーＳを開閉するときに引手４を操作して前後に回すときの動きであり、揺動とは、引手４を操作しないときに単に揺れるときの動きである。
【００２４】
スライダー胴体１は、一対のエレメント列Ｆ３，Ｆ３および一対のファスナーテープＦ２，Ｆ２を通す胴体本体部２、引手４を取り付けると共に胴体本体部２から突出する引手取付部３を備える。
【００２５】
胴体本体部２は空間部として図１〜４，７に示すように、その前後面には前後方向に貫通すると共に一対のエレメント列Ｆ３，Ｆ３を通すエレメント路２１を備え、その上面には前後方向に貫通し且つ上方に開口すると共に一対のファスナーテープＦ２，Ｆ２を通すテープ溝２２を備えるものである。より詳しく言えばエレメント路２１とテープ溝２２を形成するために胴体本体部２は、左右に間隔をあけて対向する一対の小板部２３ａ，２３ａを備える上翼板２３と、上翼板２３に対して下方に間隔をあけて対向する下翼板２４と、上翼板２３と下翼板２４を左右方向の両端部で接合する一対の側板２５，２５と、下翼板２４の前部で且つ左右方向の中間部から上方に突出する柱２６であって一対のエレメント列Ｆ３，Ｆ３の間に挟まれる柱２６を備える。
【００２６】
下翼板２４は上下方向を厚み方向とする板である。また下翼板２４は図示の例では左右対称形状であり、平面視して左右の側辺と後辺と前辺とから構成される。前辺は、円弧状であり、左右方向の中間が最も前方に突出する形状となっている。左右側辺は前方に向かうにつれて互いの左右の間隔を広げるように左右方向に張り出している。
【００２７】
上翼板２３を構成する一対の小板部２３ａ，２３ａも上下方向を厚み方向とする板である。また一対の小板部２３ａ，２３ａは、下翼板２４の左右側辺に沿って前後に延長する細長い板である。
【００２８】
側板２５は左右方向を厚み方向とする板である。
柱２６は、下翼板２４から上翼板２３の下面まで突出している。
【００２９】
エレメント路２１は、上翼板２３と下翼板２４と一対の側板２５，２５と柱２６によって形成される空間部である。より詳しく言えばエレメント路２１は、上翼板２３と下翼板２４と一対の側板２５，２５によって包囲される空間部であって、その前部が柱２６によって左右に仕切られた空間部である。言い換えればエレメント路２１は、その前部が柱２６によって分岐された二本の分岐路となっており、その後部（柱２６よりも後側）には二本の分岐路が合流して後方へ向かう一本の通路となっている。
【００３０】
テープ溝２２は、上翼板２３の内側、つまり一対の小板部２３ａ，２３ａの間に形成され、エレメント路２１に繋がっている。そしてテープ溝２２を柱２６の上方で左右に分岐させるように、柱２６の上面から引手取付部３が突出している。
【００３１】
引手取付部３は、引手４を取り付けるために左右方向に貫通する取付穴３ａを備えるものである。より詳しくは、引手取付部３は、柱２６よりも左右に張り出すと共に後方に延長するベース３１であってその後部には上下方向に貫通する爪穴３１ａが形成されたベース３１と、ベース３１の前部の上面から左右に間隔をあけて上方に突出する一対の壁部３２，３２と、ベース３１および一対の壁部３２，３２と協働して取付穴３ａを形成するフック３３であってその前部が一対の壁部３２，３２の間に配置されるフック３３と、フック３３を上下方向に揺動可能に支持する筒状の支軸部３４であってフック３３の前部を左右に貫通する状態で一対の壁部３２，３２に固定される支軸部３４と、取付穴３ａの大きさを一定に保つバネ３５であってフック３３の前部を上方に押し上げるバネ３５を備える。
【００３２】
フック３３は、下向きに開口する略コ字状である。より詳しくはフック３３は、一対の壁部３２，３２の間に収容されると共に支軸部３４に支持されるフック基部３３ａと、フック基部３３ａの上部から後方に延長するフック腕部３３ｂであってベース３１の上方に間隔をあけて配置されるフック腕部３３ｂと、フック腕部３３ｂの後部から下方に延長するフック爪部３３ｃとを備えるものである。
【００３３】
バネ３５は圧縮コイルバネ３５である。圧縮コイルバネ３５を収容する穴３１ｂが、ベース３１の上面から柱２６の内部にかけて形成されている。また圧縮コイルバネ３５の上端は、フック基部３３ａの下面の前部によって押さえられている。ちなみにフック基部３３ａの下面は、前部が後部に比べて段差状に高くなっている。
【００３４】
取付穴３ａは図３に示すように、その内面上側をフック腕部３３ｂによって形成し、その内面前側を一対の壁部３２，３２によって形成し、その内面下側をベース３１によって形成し、その内面後側をフック爪部３３ｃによって形成するものである。
【００３５】
壁部３２は、その前後および上下の中間部に左右方向に貫通する貫通穴３２ａが形成されている。一対の壁部３２，３２の貫通穴３２ａ，３２ａの位置は、左右方向に一致している。またフック基部３３ａも同様に左右方向に貫通する貫通穴３３ｈが形成されている。これら貫通穴３２ａ，３２ａ，３２ｈに支軸部３４を挿入することにより、フック３３が揺動可能に支持される。
【００３６】
支軸部３４は、壁部３２やフック基部３３ａの貫通穴３２ａ，３３ｈに挿入する円筒状の支軸本体部３４ａと、支軸本体部３４ａの両端部から半径方向外側に広がる円環状の鍔部３４ｂとを備える。
【００３７】
引手４は、引手取付部３に対して前後に回動可能に且つ左右に揺動可能に連結される第１の引手部材５、第１の引手部材５に対して前後に回動可能に連結される第２の引手部材６を備える。また引手４は図２〜４に示すように、第１および第２の引手部材５，６を一直線に延長したまま、引手取付部３に対して後方に倒伏させた状態でスライダー胴体１の上に載せると、第１の引手部材５がスライダー胴体１の上方に配置され、第２の引手部材６の大部分がスライダー胴体１よりも後方に延長する状態になる。引手４の図２〜４の状態を、便宜上、以後、標準状態と称する。そして標準状態を基準として、第１の引手部材５と第２の引手部材６の基本的な構成を説明する。
【００３８】
第１の引手部材５は、環状の外枠部５１と、外枠部５１を前後に仕切る仕切部５２と、仕切部５２の前後に２つの貫通穴５ａ，５ｂを備えるものである。言い換えれば第１の引手部材５は、平板に対して２つの貫通穴５ａ，５ｂが形成されたものである。
前側の貫通穴５ａは、引手取付部３（より詳しくはフック爪部３３ｃ）を通すものである。また前側の貫通穴５ａの大きさは、第１の引手部材５を前後に回動可能に且つ左右に揺動可能なように、フック爪部３３ｃよりも充分に大きいもので、図示の例では三角形状となっている。
後側の貫通穴５ｂは、第２の引手部材６の前端部を通すものである。また後側の貫通穴５ｂは左右方向を長軸方向とする楕円形状になっている。
【００３９】
第２の引手部材６は、スライダーＳを操作するときに摘まむ摘まみ部６１と、摘まみ部６１から第１の引手部材５側に突出すると共に第１の引手部材５の外枠部５１の後部に連結する筒状の連結筒部６５を備える。また第２の引手部材６は、例えばゴム、より詳しく言えば熱可塑性ポリウレタンなどの弾性変形可能な合成樹脂製である。ちなみに第１の引手部材５は例えばアルミニウム合金、亜鉛合金、ステンレスなどの金属製である。したがって第２の引手部材６は、第１の引手部材５よりも軟らかい。また引手４は、インサート成形によって成形する。
【００４０】
摘まみ部６１は環状であり、その内側には上下方向に貫通する貫通穴６１ｈが形成されている。より詳しくは摘まみ部６１は、前後に延長すると共に左右に間隔をあけて対向する一対の側片６２，６２と、一対の側片６２，６２の後端部を接合する後片６３と、一対の側片６２，６２の前端部を接合する前片６４とを備える。前片６４から連結筒部６５が前方に突出している。
連結筒部６５は、左右方向に貫通する貫通穴６５ｈが形成された筒である。
【００４１】
第２の引手部材６は側面視すると、前部に対して後部を上方に配置させると共に非直線形状である。より詳しくは以下の通りである。
第２の引手部材６は、前片６４を水平にすると共に一対の側片６２，６２を湾曲させた形状である。より詳しくは側面視すると、一対の側片６２，６２は、上方に向かって膨らむ形の円弧状で、且つ前端よりも後端が上方に位置するものである。
また連結筒部６５の下面は、前片６４の下面に対して水平に一直線に連続している。連結筒部６５の上面は、前片６４の上面よりも上方に突出している。
【００４２】
また引手４は、標準状態だけでなく、図５〜７に示すように第２の引手部材６を第１の引手部材５に対して折り畳んだ状態とすることができるものである。
折り畳んだ状態とは、第１の引手部材５が後方に倒伏すると共に、第２の引手部材６が前方に倒伏する状態である。また第１実施形態での折り畳んだ状態は、第２の引手部材６における一対の側片６２，６２の前部が第１の引手部材５の上方に僅かな隙間を介して配置される状態である。
また第２の引手部材６の摘まみ部６１は前述したように貫通穴６１ｈが形成されている。そしてその貫通穴６１ｈは、折り畳んだ状態で引手取付部３の一部を収容する収容孔部６１ｈである。また折り畳んだ状態で、引手取付部３の上端部は、摘まみ部６１よりも上方に突出した状態となっている。したがって折り畳んだ状態では、スライダーＳの上下寸法は、スライダー胴体１の上下寸法に一致する。
【００４３】
そして第２の引手部材６と引手取付部３は、折り畳んだ状態で第２の引手部材６を引手取付部３に仮止めする仮止め部７を備える。仮止め部７は、互いに係り合って第２の引手部材６を引手取付部３に仮止めする左右の突起７１，７１と左右の溝７２，７２を備えるものである。左右の突起７１，７１と左右の溝７２，７２の係り合いは、接触による摩擦抵抗である。より詳しくは図示の例では折り畳んだ状態において図７に示すように左右の突起７１，７１は鍔部３４ｂに接触して左右から挟むようにして摩擦抵抗を発生させるものである。
【００４４】
突起７１は、第２の引手部材６の一部であって、収容孔部６１ｈから突出するものである。より詳しくは第２の引手部材６は、収容孔部６１ｈの内面のうち左右の側面に突起７１をそれぞれ備える。言い換えれば第２の引手部材６は、一対の側片６２，６２の対向する面（収容孔部６１ｈ側の面）から互いの左右方向の間隔を狭めるように突起７１をそれぞれ突出している。また突起７１の位置は、図２に示すように前後方向に関しては一対の側片６２，６２の中間部であり、上下方向に関しては図７に示すように一対の側片６２，６２の中間部である。
【００４５】
溝７２は、引手取付部３の一部であって、折り畳んだ状態のときに引手取付部３のうち収容孔部６１ｈに対向する面であって突起７１に対応する位置に凹んで形成されるものである。より詳しくは、引手取付部３は、柱２６から上方に突出するものであり、左右の側面に溝７２をそれぞれ備える。
左右の溝７２，７２は左右対称であり、左右の壁部３２，３２における左右方向の外側の側面で且つ前後方向の中間部において、その前後の部分よりも凹む左右の溝本体部７３，７３と、左右の溝本体部７３，７３に対して左右外側に重なり合う支軸部３４の左右の鍔部３４ｂ，３４ｂとを備える。
溝本体部７３は、溝７２の主たる部分を形成しており、上方に開口するものである。
鍔部３４ｂは、溝７２のわずかな一部を形成しており、図示の例では溝本体部７３の側面に対して鍔部３４ｂは側方に突出しており、つまり溝本体部７３と鍔部３４ｂとは非同一面に位置するものとなっている。ただし鍔部３４ｂは図示の例とは相違するものであっても良く、たとえば溝本体部７３と鍔部３４ｂとは同一平面に位置するものであっても良い。
左右の溝７２，７２の間隔は、左右の突起７１，７１の間隔と同じか、僅かに広くなっており、それにより突起７１を溝７２に接触させて摩擦抵抗を発生させる。
【００４６】
上記した第１実施形態のスライダーＳは、標準状態から第１の状態の折り畳み状態にするときには以下のようにする。１）第１の引手部材５をスライダー胴体１の上側で後方に倒伏する。２）第２の引手部材６を前方に倒伏させよ
うとして、後軸５９を中心として前方に回動すると、左右の突起７１，７１が左右の溝７２，７２に接触して摩擦抵抗が発生し、その摩擦抵抗によって仮止めされる。つまりこの仮止め状態では、折り畳んだ状態の第２の引手部材６は左右の両方が仮止めされたことになり、左右の一方のみが仮止めされるものに比べれば、仮止め状態を安定させることができる。そして仮止め状態においては引手取付部３（左右の壁部３２，３２）の上端部が第２の引手部材６に対して上側に露出し、左右の壁部３２，３２の上端部よりも下側が第２の引手部材６の収容孔部６１ｈに収容される。
なお第２の引手部材６が弾性変形可能なので、仮止めするときや仮止めを解除するときに、突起７１が弾性変形することになり、たとえば第２の引手部材が弾性変形不能なものに比べれば、第２の引手部材６の耐久性を向上させることができる。
ちなみに仮止めを解除するときは、仮止めのときとは反対方向に第２の引手部材６を回動すればよい。
【００４７】
本考案の第２実施形態のスライダーＳは俗にリバーシブルと称されるタイプのスライドファスナーのスライダーである。第２実施形態のスライダーＳは図９〜１１に示すように、スライダー胴体１と引手４を備えるものではあるが、スライダー胴体１と引手４が第１実施形態と相違し、特に引手４がスライダー胴体１に対して前後に回動可能に且つスライダー胴体１の上側と前側と下側の範囲を移動可能に連結されたものである。
【００４８】
スライダー胴体１は、第１実施形態と同様に胴体本体部２、引手取付部３を備える。
【００４９】
胴体本体部２は空間部として、その前後面にエレメント路２１を備え、その左右側面にはテープ溝２２をそれぞれ備える。より詳しくはエレメント路２１と左右のテープ溝２２を形成するために胴体本体部２は、上下に間隔をあけて対向する上翼板２３および下翼板２４と、上翼板２３および下翼板２４の少なくとも一方（図示の例では両方）における左右方向の両端部から互いの間隔を狭めるように突出するフランジ２７と、上翼板２３および下翼板２４を左右方向の中間部で且つ前部において接合する柱２６とを備える。
【００５０】
上翼板２３と下翼板２４とは同一形状で且つ左右対称の板である。また上翼板２３と下翼板２４は柱２６で接合される部分を第１実施形態よりも前方に延長した形状である。
なお柱２６は第１実施形態よりも前方の位置で上翼板２３と下翼板２４を接合するものである。
【００５１】
エレメント路２１は、上翼板２３と下翼板２４と左右上下のフランジ２７と柱２６によって形成される空間部である。
テープ溝２２は、上下のフランジ２７の間に形成される。このようなテープ溝２２とエレメント路２１を備える胴体本体部２に対して引手取付部３が突出している。
【００５２】
引手取付部３は、側面視して胴体本体部２を上下と前の三方からＵ字状に囲むと共に胴体本体部２の左右方向の中間部において第１の引手部材５を移動可能に連結するレール３６と、Ｕ字状の延長方向の両端において第１の引手部材５の移動範囲を規制するストッパ３７と、レール３６と上翼板２３の間に介在する補強部３８とを備える。
【００５３】
補強部３８は上翼板２３の上面であって左右方向の中間部から突出すると共に上翼板２３の前後方向の全長に亘って延長する。
レール３６は、Ｕ字状の延長方向に直交する断面形状をＴ字状にするものであり、Ｔ字状のうち胴体本体部２から離れるように延長する部分をレール本体部３６ａとし、Ｔ字状のうちレール本体部３６ａの先端部から左右方向の両側に突出する部分を一対のガイド部３６ｂ，３６ｂとする。
ストッパ３７は、レール本体部３６ａよりも左右に突出するものである。
上記した引手取付部３に連結されるのが引手４である。
【００５４】
引手４は、引手取付部３（レール３６）に対して前後に回動可能に且つ上側と前側と下側の範囲に移動可能に連結される第１の引手部材５、第１の引手部材５に対して前後に回動可能に連結される第２の引手部材６を備える。また引手４は図１１に示すように、第１および第２の引手部材６を一直線に延長したまま、引手取付部３に対して後方に倒伏させた状態でスライダー胴体１の上に載せると、第１の引手部材５の前部がスライダー胴体１の上方に配置され、第１の引手部材５の後部と第２の引手部材６がスライダー胴体１よりも後方に延長する状態になる。引手４の図１０，１１の状態を、以後、第２実施形態での標準状態と称する。そして標準状態を基準として、第１の引手部材５と第２の引手部材６の基本的な構成を説明する。
【００５５】
第１の引手部材５は、左右に対向する一対の縦片５５，５５と、一対の縦片５５，５５の前端部から互いの間隔を狭めるように突出する一対の前軸５６，５６と、一対の縦片５５，５５の後端部を接合する横片５７と、横片５７の左右方向の中間部から後方に突出する延長片５８と、延長片５８の先部（前部）から左右に突出する一対の後軸５９，５９とを備える。ちなみに第１の引手部材５は一対の縦片５５，５５と前軸５６と横片５７とで矩形状となっている。また一対の縦片５５，５５の左右の間隔は、一対のガイド部３６ｂ，３６ｂの左右方向の寸法よりも広くなっており、レール本体部３６ａに対して一対の縦片５５，５５が左右に張り出した形状になっている。
【００５６】
上記した第１の引手部材５は、一対の前軸５６，５６が引手取付部３のレール本体部３６ａのＵ字状の延長方向に沿って移動する。また第１の引手部材５は、一対の前軸５６，５６が一対のガイド部３６ｂ，３６ｂによって上側、前側、下側に外れないように連結され、ストッパ３７により後側に外れないように連結されている。また第１の引手部材５は、レール本体部３６ａに対して一対の前軸５６，５６を中心にして回動可能に連結される。
【００５７】
第２の引手部材６は、摘まみ部６１と、摘まみ部６１の左右から第１の引手部材５側（前側）にそれぞれ突出すると共に第１の引手部材５の後軸５９に連結する筒状の連結筒部６５を備える。また第１実施形態と同様に第２の引手部材６は弾性変形可能な合成樹脂製で、第１の引手部材５は金属製である。なお第２の引手部材６は側面視すると、前後方向に平行な一直線の形状である。
【００５８】
摘まみ部６１は前側に開口すると共に上下方向に貫通するコ字状である。より詳しくは摘まみ部６１は、前後に延長すると共に左右に間隔をあけて対向する一対の側片６２，６２と、一対の側片６２，６２の後端部を接合する後片６３とを備える。一対の側片６２，６２と後片６３との間には上下方向に貫通する貫通穴６１ｈが形成され、この貫通穴６１ｈは、第２の引手部材６の収容孔部６１ｈである。収容孔部６１ｈは、折り畳み状態において第１の引手部材５を収容する部分６１ｉと、折り畳み状態において引手取付部３の一部（レール本体部３６ａ）を収容する部分６１ｊを備える。なお前述したようにレール本体部３６ａに対して一対の縦片５５，５５が左右に張り出した形状になっているので、第１の引手部材５を収容する部分６１ｉは、引手取付部３の一部（レール本体部３６ａ）を収容する部分６１ｊよりも左右方向の寸法が狭くなっている。
【００５９】
一対の連結筒部６５は、左右方向の対向面側に左右の後軸５９，５９を収容する穴（図示せず）が形成されたもので、図示の例では穴は左右方向には貫通していない。
【００６０】
そして第２の引手部材６と引手取付部３は図１２〜１６に示すように、折り畳んだ状態で第２の引手部材６を引手取付部３に仮止めする仮止め部７を備える。第２実施形態での折り畳んだ状態は２通りある。２通りのいずれの状態も第２の引手部材６が前方に倒伏する。ただし第１の状態は、胴体本体部２の上側において第１の引手部材５が後方に倒伏する。また第２の状態は、胴体本体部２の下側において第１の引手部材５が後方に倒伏する。
【００６１】
仮止め部７は、互いに係り合って第２の引手部材６を引手取付部３に仮止めする突起７１と溝７２を備えるもので、第２実施形態では仮止めするとき及び仮止めを解除するときに突起７１が弾性変形によりガイド部３６ｂを乗り越えるものである。
【００６２】
突起７１は、第１実施形態と同様に、第２の引手部材６の収容孔部６１ｈの内面のうち左右の側面から突出するものである。また左右の突起７１，７１は、前後の位置を異ならせてある。
【００６３】
溝７２は、レール３６の左右の側面においてレール本体部３６ａとガイド部３６ｂによってそれぞれ形成され、胴体本体部２の上面、前面、下面に沿ってＵ字状に延長する。
【００６４】
上記した第２実施形態のスライダーＳは、標準状態から第１の状態の折り畳み状態にするときには以下のようにする。１）第１の引手部材５をスライダー胴体１の上側で後方に倒伏する。２）第２の引手部材６を前方に倒伏させようとして、後軸５９を中心として前方に回動すると、左右の突起７１，７１が左右のガイド部３６ｂ，３６ｂに衝突する。３）力を加えて第２の引手部材６を前方に回動すると、左右の突起７１，７１が弾性変形して左右のガイド部３６ｂ，３６ｂを乗り越える。４）左右の突起７１，７１が復元力によって元の形状に戻り、図１５，１６に示すように突起７１が溝７２に嵌って、左右のガイド部３６ｂ，３６ｂにより突起７１が反対方向に自由に回動できなくなり、仮止め状態となる。そして仮止め状態においては引手取付部３（左右のガイド部３６ｂ，３６ｂ）の上端部が第２の引手部材６に対して上側に露出し、左右のガイド部３６ｂ、３６ｂの上端部よりも下側が第２の引手部材６の収容孔部６１ｈに収容される。なお仮止めを解除するときは、仮止めのときとは反対方向に第２の引手部材６を回動すればよい。
【００６５】
この仮止め状態では、たとえば左右の突起７１，７１が前後の位置を同じにしてあるスライダーに比べれば、折り畳んだ状態を維持し易くなる。より詳しく言えば、たとえば仮止め状態が第１の状態のときを想定する。後方に倒伏している第１の引手部材５を、前軸５６を中心にして前方に回動しようとすると、左右の突起７１，７１が溝７２の中でその延長方向に沿って移動しようとする。そうすると、左右の突起７１，７１のうち第１の引手部材５に近い方の突起７１が溝７２の上面側のガイド部３６ｂに衝突し、第１の引手部材５の回動を阻止しようとする。一方、前方に倒伏している第２の引手部材６を後軸５９を中心にして後方に回動しようとすると、後軸５９から遠い方の突起７１が近い方の突起７１よりも先に溝７２の上面側のガイド部３６ｂに衝突し、第２の引手部材の回動を阻止しようとする。        
【００６６】
本考案は上記実施形態に限定されるものではなく、その趣旨を逸脱しない範囲において適宜変更可能である。例えば、上記実施形態では、仮止め状態においては引手取付部３の上端部が第２の引手部材６に対して上側に露出していたが、本発明ではこれに限らず、仮止め状態においては引手取付部３の上端部が第２の引手部材６に完全に収容されていても良い。
【符号の説明】
【００６７】
Ｆ  スライドファスナー
Ｆ１  ファスナーストリンガー
Ｆ２  ファスナーテープ
Ｆ３  エレメント列
Ｓ  スライダー
１  スライダー胴体
２  胴体本体部
２１  エレメント路
２２  テープ溝
２３  上翼板
２３ａ  小板部
２４  下翼板
２５  側板
２６  柱
２７  フランジ
３  引手取付部
３ａ  取付穴
３１  ベース
３１ａ  爪穴
３１ｂ  穴
３２  壁部
３２ａ  貫通穴
３３  フック
３３ａ  フック基部
３３ｈ  貫通穴
３３ｂ  フック腕部
３３ｃ  フック爪部
３４  支軸部
３４ａ  支軸本体部
３４ｂ  鍔部
３５  バネ（圧縮コイルバネ）
３６  レール
３６ａ  レール本体部
３６ｂ  ガイド部
３７  ストッパ
３８  補強部
４  引手
５  第１の引手部材
５ａ、５ｂ  貫通穴
５１  外枠部
５２  仕切部
５５  縦片
５６  前軸
５７  横片
５８  延長片
５９  後軸
６  第２の引手部材
６１  摘まみ部
６１ｈ  収容孔部（貫通穴）
６１ｉ  第１の引手部材を収容する部分
６１ｊ  レール本体部を収容する部分
６２  側片
６３  後片
６４  前片
６５  連結筒部
６５ｈ  貫通穴
７  仮止め部
７１  突起
７２  溝
７３  溝本体部
【図１】
0003210483.tif 000003
【図２】
0003210483.tif 000004
【図３】
0003210483.tif 000005
【図４】
0003210483.tif 000006
【図５】
0003210483.tif 000007
【図６】
0003210483.tif 000008
【図７】
0003210483.tif 000009
【図８】
0003210483.tif 000010
【図９】
0003210483.tif 000011
【図１０】
0003210483.tif 000012
【図１１】
0003210483.tif 000013
【図１２】
0003210483.tif 000014
【図１３】
0003210483.tif 000015
【図１４】
0003210483.tif 000016
【図１５】
0003210483.tif 000017
【図１６】
0003210483.tif 000018